(57)【特許請求の範囲】
【請求項１】
小便器本体と、その小便器本体に沿って流れ落ちる小便を受ける小便受けとを備え、小便器本体の正面部に小便をかける縦溝が形成され、この縦溝は、正面開口の横幅が下方に向かうにつれて大きくなり、また正面開口からの深さが下方に向かうにつれて深くなる形状であって、この縦溝の下端部に、ボール状の小便受けが回転可能に嵌め込まれており、前記小便受けは、その開口部を上方に向けた使用姿勢と、その開口部を隠す不使用姿勢との間で切換可能となるように前記小便器本体に取り付けられていることを特徴とする小便器。
【請求項２】
小便受けを回転させて、その小便受けの姿勢を切り換える姿勢切換機構が設けられている請求項１記載の小便器。
【請求項３】
小便器本体に沿って流れ落ちる洗浄水によって、前記縦溝の正面開口に、縦溝にかけた小便の跳ね返りを防ぐように水流膜が形成される請求項１又は２記載の小便器。
【請求項４】
小便器本体の前記小便受けよりも下方に、小便や洗浄水を受ける水受け皿が設けられ、前記小便受けと水受け皿との間に排水路が形成されている請求項１乃至３のいずれかに記載の小便器。
【請求項５】
出入口側に大便器が配置され、その奥側に請求項１乃至４のいずれかに記載の小便器が配置され、これら大便器と小便器との間に仕切り壁が設けられていることを特徴とするトイレ。
【請求項６】
小便器周りの床面が、防汚作用及び抗菌作用のある仕上材でコーティングされている請求項５記載のトイレ。
【発明の詳細な説明】
【０００１】
【発明の属する技術分野】
この発明は、小便器及びこれを用いたトイレに関する。
【０００２】
【従来の技術】
小便器には、ストール型小便器や壁掛け小便器、筒形小便器など色々なタイプがあるが、それらいずれのタイプも、小便器本体の下端部に排水口付きの小便受けが設けられている。そして、小便器本体にかけた小便は、その小便器本体に沿って流れ落ちて、小便受けの排水口から下水管に流れ込むようになっている。
【０００３】
また、小便器と大便器を並設したトイレの場合、出入口側に小便器を配置し、その奥側に大便器を配置している。これは、大便器で用を足しているときにでも、別の人が小便器を使用できるようにするためである。
【０００４】
【発明が解決しようとする課題】
しかしながら、従来の小便器では、小便受けが小便器本体と一体になっていて、小便受けの排水口周りの汚い部分は、常に外部から見える状態となっている。このため、不快感を与え易く、また悪臭が発生し易いといった不具合があった。
【０００５】
また、従来の小便器と大便器を並設したトイレでは、女性が用を足すときには、必ず小便器の前を通らなければならず、このとき上記のような小便器の汚い部分が見えたり、悪臭がすると、小便器を使用しない女性に対しても不快感を与えてしまうといった不具合があった。
【０００６】
そこで、この発明は、上記の不具合を解消して、使用していないときに汚い部分を隠すことで、清潔感があって、悪臭の発生も抑えることができる小便器の提供を目的とする。また、女性の心理に配慮した清潔感のあるトイレの提供を目的とする。
【０００７】
【課題を解決するための手段】
上記の課題を解決するため、この発明の小便器は、小便器本体と、その小便器本体に沿って流れ落ちる小便を受ける小便受けとを備え、前記小便受けは、その開口部を上方に向けた使用姿勢と、その開口部を隠す不使用姿勢との間で切換可能となるように、前記小便器本体に取り付けられていることを特徴とする。
【０００８】
具体的には、小便器本体に、小便をかける縦溝が形成され、この縦溝は、正面開口の横幅が下方に向かうにつれて大きくなり、また正面開口からの深さが下方に向かうにつれて深くなる形状であって、この縦溝の下端部に、ボール状の小便受けが回転可能に嵌め込まれている。さらに、小便受けを回転させて、その小便受けの姿勢を切り換える姿勢切換機構が設けられている。
【０００９】
また、小便器本体に沿って流れ落ちる洗浄水によって、前記縦溝の正面開口に、縦溝にかけた小便の跳ね返りを防ぐように水流膜が形成されるようになっている。
【００１０】
さらに、小便器本体の前記小便受けよりも下方に、小便や洗浄水を受ける水受け皿が設けられ、前記小便受けと水受け皿との間に排水路が形成されている。
【００１１】
この発明のトイレは、出入口側に大便器が配置され、その奥側に上記の小便器が配置され、これら大便器と小便器との間に仕切り壁が設けれられている。また、小便器周りの床面が、防汚作用及び抗菌作用のある仕上材でコーティングされている。
【００１２】
【発明の実施の形態】
以下、この発明の実施形態を図面に基づいて詳細に説明する。この発明の一実施形態に係る小便器(１)は、図１に示すように、縦長の小便器本体(２)と、その小便器本体(２)の正面部(３)に沿って流れ落ちる小便を受けるボール状の小便受け(４)とを備えている。
【００１３】
小便器本体(２)の正面部(３)は、縦方向に沿った中央部分が背面側に凹むようにして湾曲しており、その凹んだ中央部分には、小便をかける縦溝(５)が形成されている。
【００１４】
縦溝(５)は、例えば略滴形に形成され、正面開口(６)の横幅が下方に向かうにつれて大きくなり、また正面開口(６)からの深さが下方に向かうにつれて深くなっている。そして、縦溝(５)の下端部は、球面状に形成されている。
【００１５】
この縦溝(５)の下端部には、小便受け(４)が回転可能に嵌め込まれており、この小便受け(４)の縦溝(５)から突出した部分が、小便器本体(２)の正面部(３)から前方へ突出した湾曲状のガイド(10)によって支持されている。
【００１６】
小便受け(４)は、図２に示すように、その正面側が背面側よりも厚肉に形成され、その底部には、排水口(11)が形成されている。そして、小便受け(４)は、その開口部(12)を上方に向けた使用姿勢(図２参照)と、その開口部(12)を正面部(３)に対向させるようにして隠す不使用姿勢(図３参照)との間で切換可能とされている。
【００１７】
この小便受け(４)の姿勢切換は、手動で行っても良いが、その場合手が汚れるとか、面倒である等の問題があるため、姿勢切換機構(20)によって自動的に切り換えるようにしている。この姿勢切換機構(20)は、小便受け(４)の底部外面に排水口(11)を挟むようにして形成された一対のラック(21)(21)(図４参照)と、ガイド(10)に回転自在に支持され、小便受け(４)のラック(21)(21)に噛み合う一対のピニオン(22)(22)を備えた横軸(23)(図５参照)と、小便器本体(２)の正面側の汚垂石(30)に設けられた足踏み式ボタン(24)と、横軸(23)と足踏み式ボタン(24)との間に張られたワイヤー(25)とを備えている。
【００１８】
足踏み式ボタン(24)は、図６及び図７に示すように、汚垂石(30)に上下動自在に配されたボタン本体(31)と、このボタン本体(31)を上方に付勢するバネ(32)とを備えている。
【００１９】
ワイヤー(25)は、小便器本体(２)の正面部(３)及び汚垂石(30)に配された複数のプーリ(33)(33)…に掛け巻きされた状態で、その一端が横軸(23)のピニオン(22)(22)間に取り付けられ、他端がボタン本体(31)に取り付けられている。
【００２０】
従って、足踏み式ボタン(24)を足で踏むと、図２及び図６に示すように、ワイヤー(25)が弛んで、不使用姿勢となっていた小便受け(４)が、その自重によってガイド(10)に沿って回転して、縦溝(５)の下端部に入り込んで使用姿勢となる。このとき、小便受け(４)のラック(21)(21)に噛み合っていたピニオン(22)(22)が回転して、弛んでいたワイヤー(25)が横軸(23)に巻き付けられる。
【００２１】
逆に、足踏み式ボタン(24)から足を離すと、図３及び図７に示すように、ボタン本体(31)がバネ(32)の付勢力によって上方へ持ち上がり、ワイヤー(25)が引っ張られて、横軸(23)及びピニオン(22)(22)が回転する。すると、使用姿勢となっていた小便受け(４)が、ガイド(10)に沿って縦溝(５)の下端部から出ていくように回転して不使用姿勢となる。
【００２２】
なお、姿勢切換機構としては、上記のような構造のものに限定されず、例えば足踏み式ボタン(24)と小便受け(４)とをリンク機構をよって連動させる構造のもの、或いは、小便器本体(２)等に設けた手元操作の押しボタンを押すことで、ソレノイドや駆動モータ等を作動させて小便受け(４)を回転させる構造のものであって良い。
【００２３】
また、小便器本体(２)の正面部(３)の上端には、その正面部(３)に沿って洗浄水を流すための放水部(40)が取り付けられている。さらに、小便本体(２)の正面部(３)には、小便受け(４)よりも下方で、かつ、汚垂石(30)よりも上方において横溝(41)が形成され、この横溝(41)に、小便や洗浄水を受ける水受け皿(42)が嵌め込まれている。
【００２４】
放水部(40)は、図示しない給水弁付きの水道管と連通されており、小便器本体(２)の幅方向に沿って取り付けられている。この放水部(40)には、小便器本体(２)の幅方向に適宜間隔をあけて図示しない複数の放水口が形成されている。放水部(40)からの放水は、小便器本体(４)に設けた光センサや足踏み式ボタン(24)に設けた作動スイッチによって、小便器本体(２)の前に立った使用者を検知して、この検知信号によって給水弁を開放させることで、自動的になされるようになっている。
【００２５】
水受け皿(42)は、小便器本体(２)とほぼ同じ横幅を有する上面開放の箱形に形成され、その底板(43)は、小便器本体(２)の正面側から背面側へ向かって斜め下方に傾斜している。この底板(43)の最低部には、排水口(44)が形成されている。そして、小便器本体(２)には、小便受け(４)の排水口(11)と水受け皿(42)とを繋ぐ第１排水路(45)が形成され、さらに、水受け皿(42)の排水口(44)と下水管(46)とを繋ぐ第２排水路(47)が形成されている。
【００２６】
上記構成の小便器(１)において、使用者が、足踏み式ボタン(24)を足で踏んだ状態で小便器本体(２)の前に立つと、上述したように小便受け(４)が回転して不使用姿勢から使用姿勢に切換わり、放水部(40)からは自動的に洗浄水が放水される。
【００２７】
この洗浄水は、小便器本体(２)の正面部(３)に沿って流れ落ちる。このとき、正面部(３)の両端付近を流れ落ちる洗浄水は、そのまま水受け皿(42)流れ込む。一方、正面部(３)の中央付近を流れる洗浄水は、図２に示すように、縦溝(５)を伝って小便受け(４)に達する洗浄水と、縦溝(５)の正面開口(６)に沿って落下して小便受け(４)に達する洗浄水とに分かれる。そして、縦溝(５)の正面開口(６)に沿って落下する洗浄水によって、正面開口(６)に水流膜(50)が形成される。
【００２８】
縦溝(５)にかけた小便のほとんどは、縦溝(５)を伝う洗浄水とともに、小便受け(４)に流れ込むが、一部は縦溝(５)に当たって跳ね返る。ところが、この跳ね返った小便は、正面開口(６)に形成された水流膜(50)に当たって、それ以上の跳ね返りが阻止されて、小便受け(４)に流れ込む。従って、汚垂石(30)やトイレ床面への小便の飛び散りを防止することができ、清潔である。
【００２９】
小便受け(４)に流れ込んだ小便及び洗浄水は、排水口(11)から第１排水路(45)を通って水受け皿(42)に流れ込み、さらに第２排水路(47)を通って下水管(46)へ流れ込む。
【００３０】
用を足し終わった使用者が、小便器本体(２)の前から立ち去って、足踏み式ボタン(24)から足が離れると、上述したように小便受け(４)が使用姿勢から不使用姿勢に切換わり、放水部(40)からの洗浄水の放水が停止する。このとき、小便受け(４)の排水口(11)は、ガイド(10)によって塞がれ、第１排水路(45)は、小便受け(４)によって塞がれる。用を足した後の小便器(１)では、小便受け(４)の開口部(12)が隠され、汚い部分が外部から見えないようになっているので、次の使用者に対して不快感を与えることがなく、また悪臭の発生も抑えることができる。
【００３１】
次に、この小便器(１)を使用したトイレについて説明する。このトイレは、図８に示すように、上記の小便器(１)と大便器(60)とを並設したトイレであって、出入口(61)側に大便器(60)が配置され、その奥側に小便器(１)が配置されている。また、これら大便器(60)と小便器(１)との間には、大便器(60)側から小便器(１)側への通路(62)を確保した状態で、仕切り壁(63)が設けられている。
【００３２】
小便器(１)側の壁面には、採光用の窓(64)が設けられ、大便器(60)側の壁面には、手洗い機能と乾燥機能の双方を備えた手洗いボウル一体型の温風乾燥機(65)が埋め込まれている。また、仕切り壁(63)の大便器(60)側には、ペーパーホルダー(66)が取り付けられている。さらに、小便器(１)周りの床面及び汚垂石(30)は、防汚作用及び抗菌作用のある仕上材でコーティングされている。この仕上材としては、例えば酸化チタンが用いられる。
【００３３】
このような構造のトイレにおいては、女性が用を足すときに、小便器(１)の前を通らずに済むことから、いつも快適に用を足すことができる。また、仮に小便器(１)が見えてしまっても、上述したように、小便受け(４)の汚い部分は見えることがないので、不快感を与えてしまうことはない。さらに、採光用の窓(64)から射し込む光によって、例えば酸化チタンコーティングの床面や汚垂石(30)の場合であれば、酸化チタンの光触媒作用により、小便器(１)周辺の汚れを分解し、ばい菌の発生を抑えるので、メンテナンス性に優れた清潔なトイレを提供することができる。
【００３４】
なお、この発明は、上記実施形態に限定されるものではなく、この発明の範囲内で上記実施形態に多くの修正及び変更を加え得ることは勿論である。
【００３５】
【発明の効果】
以上の説明から明らかなように、この発明の小便器では、使用していないときには、小便受けの汚い部分が隠れて外部から見えないので、清潔感を与えることができ、悪臭の発生も抑えることができる。
【００３６】
また、小便受けの姿勢を切り換える姿勢切換機構を設けているので、手動で小便受けを切換えずに済み、使用性が良好で清潔でもある。
【００３７】
さらに、縦溝の正面開口に水流膜を形成して、縦溝にかけた小便の跳ね返りを防いでいるので、小便器周りへの小便の飛び散りを防止することができ、清潔である。
【００３８】
この発明のトイレでは、出入口に近い大便器の奥側に小便器が設けられているので、女性が使用するときには、小便器の前を通らずに済み、いつも快適に用を足すことができる。また、小便器が見えてしまっても、上述のように小便受けの汚い部分は見えることがないので、不快感を与えることはない。
【００３９】
さらに、小便器周りの床面が、例えば酸化チタン等の防汚作用及び抗菌作用のある仕上材でコーティングされているので、小便器周辺の汚れを分解してばい菌の発生を抑えることができ、トイレを清潔に保つことができる。
【図面の簡単な説明】
【図１】この発明の一実施形態に係る小便器の斜視図である。
【図２】小便受けが使用姿勢のときの小便器の縦断面図である。
【図３】小便受けが不使用姿勢のときの小便器の縦断面図である。
【図４】小便受けの底部外面を示す図である。
【図５】小便受け部分の拡大斜視図である。
【図６】小便受けが使用姿勢のときの足踏み式ボタン付近の縦断面図である。
【図７】小便受けが不使用姿勢のときの足踏み式ボタン付近の縦断面図である。
【図８】この発明のトイレの平面図である。
【符号の説明】
(１)  小便器
(２)  小便器本体
(４)  小便受け
(５)  縦溝
(６)  正面開口
(12)  開口部
(20)  姿勢切換機構
(42)  水受け皿
(45)  排水路
(50)  水流膜
(60)  大便器
(63)  仕切り壁
【図１】
0004012695.tif 000002
【図２】
0004012695.tif 000003
【図３】
0004012695.tif 000004
【図４】
0004012695.tif 000005
【図５】
0004012695.tif 000006
【図６】
0004012695.tif 000007
【図７】
0004012695.tif 000008
【図８】
0004012695.tif 000009